(57)【要約】      （修正有）【課題】簡易型消火栓装置の横スライド扉の開閉を円滑に行えるようにする。【解決手段】キャビネット本体１の前面に横スライド扉１０を備える簡易型消火栓装置であって、前記スライド扉１０は、断面が略凸形状に形成される下部レールの上に載置されると共に、その略凸形状の先端に乗る車輪を有し、前記スライド扉１０の閉状態において、前記スライド扉１０の下端部が略凹形状となるスカート部１０ｂが少なくとも前面側に形成されて、該スカート部１０ｂが前記下部レール全体を覆っている。【選択図】図１
2010158287.tif 000002
【特許請求の範囲】
【請求項１】
キャビネット本体の前面に、レールにガイドされながら横方向に摺動する横スライド扉を備える消火栓装置であって、
前記スライド扉の下端側のレールは、断面が略凸形状に形成され、
前記スライド扉の下端部には、少なくとも該レールの前面側を全長に亘って覆う、スカート部が設けられていることを特徴とする簡易型消火栓装置。
【請求項２】
キャビネット本体の前面に横スライド扉を備える消火栓装置であって、
前記スライド扉は、断面が略凸形状に形成されるレールの上に載置されると共に、その略凸形状の先端に乗る車輪を有し、前記スライド扉の閉状態において、前記スライド扉の下端部が略凹形状となるスカート部が少なくとも前面側に形成されて、該スカート部が前記レール全体を覆っていることを特徴とする簡易型消火栓装置。
【請求項３】
キャビネット本体の前面を構成する化粧枠は、その横方向端部が前記スライド扉の同方向端部と同じ位置にあり、前記スライド扉がその方向に向けて移動できる断面形状を有することを特徴とする請求項１、又は、２記載の簡易型消火栓装置。
【発明の詳細な説明】
【技術分野】
【０００１】
この発明は、消火栓装置に関するものであり、更に述べると、横スライド扉を備えている簡易型消火栓装置に関するものである。
【背景技術】
【０００２】
従来の消火栓装置には、扉が設けられている。この扉は、筐体内に収容されている消火栓等が排気ガス等により汚染されたり、又は、悪戯されたりするのを防止している。
【０００３】
この扉として、前傾扉とスライド扉が用いられている。
上記前傾扉は、該扉の上部側のハンドルを手前に引くと、その下端部側の支持軸を中心にして回転し、開扉するが、支持軸をしっかりと固定しなければならないので、面倒である。又、前方に扉が開くので、前方のスペースを余分にとってしまう。
【０００４】
そこで、垂直方向に開閉する、縦スライド扉が用いられる。
しかし、この縦スライド扉では、該扉をキャビネット本体内に収めようとすると、開放度合いを小さくすることとなってしまう。又、この扉を大きく開放するには、該扉をキャビネット本体外に突出させることとなるので、そのスペースが必要となる。そこで、水平方向に開閉する、横スライド扉が用いられる。
【発明の概要】
【発明が解決しようとする課題】
【０００５】
従来の横スライド扉は、レールなどのスライド機構が必要となるが、このレールなどに塵等が詰まると、該横スライド扉が開かれなくなってしまうことがあり、仮に開いたとしても重くなるなどの不具合の原因になり易い。
前記不具合を除去するため、頻繁にレールを掃除し、塵等を除去しなければならないので、その様なメンテナンスは、面倒であり、経済的負担も大きい。
【０００６】
この発明は、上記事情に鑑み、横スライド扉の開閉を円滑に行えるようにすることを目的とする。
【課題を解決するための手段】
【０００７】
この発明は、キャビネット本体の前面に、レールにガイドされながら横方向に摺動する横スライド扉を備える消火栓装置であって、前記スライド扉の下端側のレールは、断面が略凸形状に形成され、前記スライド扉の下端部には、少なくとも前記レールの前面側を全長に亘って覆う、スカート部が設けられていることを特徴とする。
【０００８】
この発明は、キャビネット本体の前面に横スライド扉を備える消火栓装置であって、前記スライド扉は、断面が略凸形状に形成されるレールの上に載置されると共に、その略凸形状の先端に乗る車輪を有し、前記スライド扉の閉状態において、前記スライド扉の下端部が略凹形状となるスカート部が少なくとも前面側に形成されて、該スカート部が前記レール全体を覆っていることを特徴とする。
【０００９】
この発明のキャビネット本体の前面を構成する化粧枠は、その横方向端部が横スライド扉の同方向端部と同じ位置にあり、前記スライド扉がその方向に向けて移動できる断面形状を有することを特徴とする。
【発明の効果】
【００１０】
この発明は、以上の様に構成したので、横スライド扉の下端側のレールは、その全長に亘って該スライド扉のスカート部に覆われるので、塵などが詰まるのを防止することができる。そのため、該横スライド扉は、レールにガイドされながら摺動することができるので、円滑に開閉を行うことができる。
【図面の簡単な説明】
【００１１】
【図１】本発明の第１実施形態を示す正面図である。
【図２】図１のII−II線拡大断面図である。
【図３】開扉状態を示す正面図である。
【図４】本発明の第２実施形態の要部を示す拡大正面図である。
【発明を実施するための形態】
【００１２】
本発明の第１実施形態を図１〜図３により説明する。
簡易型消火栓装置のキャビネット本体１は、箱状に形成され、その前面には、化粧枠３が設けられている。この化粧枠３には、消火器収納部を開閉する、ハンドル６の付いた消火器扉５と、ハンドル２０の付いた横スライド扉１０が設けられている。この横スライド扉１０は、消火栓及び自動調圧弁等を収納する、収納部７の開口部９を開閉するものである。
【００１３】
前記開口部９の上辺部には、前記扉１０の上端部１０ａを保持する上部レール１２が設けられ、その下辺部には、前記扉１０の下端部１０ｂを支持する下部レール１５が設けられている。前記上部レール１２は、断面凹形状に形成されており、前記扉１０の断面凸形状に形成された上端部１０ａと遊嵌合している。前記上部レール１２は、化粧枠３の右端部３Ｒまで伸びている。
【００１４】
前記下部レール１５は、断面凸形状に形成され、前記化粧枠３の右端部３Ｒまで伸びている。前記扉１０の下端部１０ｂは、断面凹形状に形成されたスカート部であり、このスカート部１０ｂは、車輪収納部１０ｃとレール覆い部１０ｄとを備えている。この車輪収納部１０ｃには、車輪１７が設けられているが、この車輪１７は、前記スカート部１０ｂから突出しない状態で内蔵されている。前記車輪１７は、下部レール１５の先端部１５ａに当接している。前記レール覆い部１０ｄは、下部レール１５の先端部１５ａを覆っている。
【００１５】
なお、前記スカート部１０ｂの凹形状の深さは、必要に応じて適宜選択されるが、前記凸形状の下部レール１５の先端突部を十分に覆える様な深さが好適である。
【００１６】
前記キャビネット本体１の前面を構成する化粧枠３は、その横方向端部（右端部）３Ｒが閉扉時における前記スライド扉１０の同方向端部（右端部）１０Ｒと同じ位置にあり、前記スライド扉１０がその方向に向けて移動できる、略コ字状の断面形状を有している。
【００１７】
次に、本実施形態の作動について説明する。
閉扉時：
横スライド扉１０が閉じているときには、下部レール１５は、該扉１０の凹形状のスカート部１０ｂにより、その全長に亘って覆われているため、粉塵等が入り難くなるので、塵などが詰まり難い。
【００１８】
開扉時：
火災時などで消火栓を使用する場合には、ハンドル２０に手を掛けて横スライド扉１０を矢印Ａ１０方向、即ち、化粧枠３の右端部３Ｒ側に引く。そうすると、該扉１０の車輪１７が下部レール１５の先端上を回転しながら該扉１０を同方向に摺動させるので、前記開口部９が露出する。
【００１９】
この時、扉１０は、化粧枠３の右端部３Ｒ近傍まで摺動させることができるので、大きく開口部９を開くことができる。又、前記扉１０は、開口部一杯まで開くようにしても良いが、自動調圧弁等、通常利用しない部分まで(例えば、開口部の１／３程度)、開かないようにしても良い。この場合、保守点検時には、開口部一杯まで開扉できるようなストッパを設けても良く、その方法は適宜選択される。
【００２０】
そして、前記開口部９から手を入れて消火栓収納部７内の消火栓弁の開放操作、消火用ホースの取り出しなど、消火活動に必要な作業を行う。
消火作業が完了したら、上部レール１５を清掃してきれいにした後、ハンドル２０に手を掛けて前記扉１０を前記矢印Ａ１０方向と反対方向に引いて前記開口部９を閉じる。これにより、下部レール１５は、その全長にわたり、前記扉１０の断面凹形状のスカート部１０ｂにより完全に覆われた状態となる。
【００２１】
本発明の第２実施形態を図４により説明する。なお、実施形態１と同じ部分には、同じ符号をつけて説明を省略する。
前実施形態１と本実施形態の異なる点は、前記スカート部１０ｂが下部レール１５の前面１５ｆ側だけに設けられている点である。即ち、第１実施形態における断面凹形状のスカート部を構成している、前後一対のレール覆い部１０ｄ、１０ｄのうち、後のレール覆い部１０ｄを省略し、前のレール覆い部のみにしたものである。
【００２２】
この場合も実施形態１と同様に閉扉時には、下部レール１５がスカート部１０ｂのレール覆い部１０ｄにより、その全長に亘って覆われているので、外部から粉塵等が入り難く、塵などが詰まり難くなるとともに、横スライド扉１０を設置する際、設置しやすくなる。
【符号の説明】
【００２３】
１      キャビネット本体
３      化粧枠
３Ｒ    右端部
７      消火栓収納部
９      開口部
１０    横スライド扉
１０ａ  上端部
１０ｂ  下端部
１０ｃ  車輪収納部
１０ｄ  レール覆い部
１２    上部レール
１５    下部レール
１５ａ  先端部
１７    車輪
【図１】
2010158287.tif 000003
【図２】
2010158287.tif 000004
【図３】
2010158287.tif 000005
【図４】
2010158287.tif 000006